(57)【要約】【課題】病院が院内情報等を含むその病院専用のコンテンツ等を病院ごとに個別に受信し、オンデマンドで放映できる院内情報表示システムの提供を課題とする。【解決手段】中央サーバ装置が各病院放映端末を識別する病院識別情報を保持し、放映コンテンツを取得した際に当該病院識別情報を関連付けることで、各病院放映端末がその病院専用の放映コンテンツを放映することを可能とした。また、各病院放映端末の保持部にて、送信された法会院コンテンツを保持し、所望の時間に放映できるようにした。【選択図】図１３
2007325124.tif 000002
【特許請求の範囲】
【請求項１】
中央サーバ装置と、病院放映端末とからなる院内情報表示システムであって、
中央サーバ装置は、
病院識別情報と関連付けて放映コンテンツを蓄積する蓄積部と、
蓄積されている放映コンテンツを病院識別情報で識別される病院放映端末に送信する送信部と、を有し、
病院放映端末は、
送信された放映コンテンツを保持する保持部と、
タイマーと、
タイマーの出力に応じて保持されている放映コンテンツを出力する出力部と、
を有する院内情報表示システム。
【請求項２】
前記出力部は、保持部に保持されている放映コンテンツを繰返し放映する繰返出力手段を有する請求項１に記載の院内情報表示システム。
【請求項３】
中央サーバ装置は、
各病院からの個別コンテンツを取得する個別コンテンツ取得部と、
取得した個別コンテンツを含む放映コンテンツを編集するための編集部と、
編集した放映コンテンツを蓄積部に記録する記録部と、
を有する請求項１又は２に記載の院内情報表示システム。
【発明の詳細な説明】
【技術分野】
【０００１】
本発明は、サーバから送信された各病院専用のコンテンツを病院内で放映するコンテンツ表示システムに関する。
【背景技術】
【０００２】
従来より医療機関での問題の一つとなっているのが、診療等の待ち時間に対する患者側の不満である。この解決策として、各病院は待合室にテレビ等のディスプレイを設置し、テレビ番組等を放映することで患者が退屈しないようにする方法がとられていた。しかし、一般のテレビ放送コンテンツは、民間放送局等から放送されたものであり、その内容に対して病院側の選択権はない。つまり、各放送局が製作したコンテンツをストリーミングで一方的に送信されるものである。それゆえ、病院施設内での放映が内容的に好ましくないコンテンツも無条件に送信されてくる等問題があった。また、医療情報のような有益、かつ、病院に関連性の高い情報が日常的に配信されることがないという問題もあった。
【０００３】
このような背景から近年では、有線テレビを利用して地方有線放送局から地域情報や医療関連情報を配信する試みもなされており、病院専用の有益なコンテンツを選択的に受信することも可能となっている。
【０００４】
また、特許文献１では、病院の患者等の施設の利用者が実際にその施設を利用するまでの待ち時間を周辺施設を紹介する等して有効に活用することのできる待ち時間管理システムの発明が開示されている。
【特許文献１】特開２００６−７９２０８
【発明の開示】
【発明が解決しようとする課題】
【０００５】
しかしながら、上記有線テレビによる方法は、原則として同一コンテンツがストリーミングで送信されるものである。つまり、それぞれの病院が自身の院内情報等を含むその病院専用のコンテンツ等を病院ごとに個別に受信し、放映することはできない。あるいは、病院の所望する時間帯にコンテンツをオンデマンドで放映できないという問題もある。
【０００６】
また、特許文献１の発明は、待ち時間を有効に活用するための手段を患者が選択することはできる利点はある。しかし、通常患者や老人は体力がないことから、たとえ待ち時間が長くても病院を出て他の施設に行くくらいであれば待合室で待つことが一般的と考えられる。つまり、待ち時間の間、待合室に患者や来院者が留まることを前提とした場合、該発明は有効な時間を過ごすという点において問題が残る。さらに、患者が他施設を利用している時間は、医療情報や院内情報を患者に提供することはできないことから病院側とのコミュニケーションが絶たれている状態にあるとも言える。
【課題を解決するための手段】
【０００７】
上記課題を解決するために、本発明の院内情報表示システムでは、中央サーバ装置が各病院放映端末を識別する病院識別情報を保持し、放映コンテンツを取得した際に当該病院識別情報を関連付けることで、各病院放映端末がその病院専用の放映コンテンツを放映することを可能とした。また、病院放映端末は、中央サーバ装置から送信される放映コンテンツを一旦保持した後、必要に応じてそれを再生することとした。すなわち、本発明は、以下の院内情報表示システムを提供する。
【０００８】
本願の第一の発明は、中央サーバ装置と、病院放映端末とからなる院内情報表示システムであって、中央サーバ装置は、病院識別情報と関連付けて放映コンテンツを蓄積する蓄積部と、蓄積されている放映コンテンツを病院識別情報で識別される病院放映端末に送信する送信部と、を有し、病院放映端末は、送信された放映コンテンツを保持する保持部と、タイマーと、タイマーの出力に応じて保持されている放映コンテンツを出力する出力部と、
を有する院内情報表示システムを提供するものである。
【０００９】
本願の第二の発明は、前記第一の発明の出力部が保持部に保持されている放映コンテンツを繰返し放映する繰返出力手段を有することを特徴とする院内情報表示システムを提供するものである。
【００１０】
本願の第三の発明は、前記第一又は第二の発明における中央サーバ装置が各病院からの個別コンテンツを取得する個別コンテンツ取得部と、取得した個別コンテンツを含む放映コンテンツを編集するための編集部と、編集した放映コンテンツを蓄積部に記録する記録部と、を有することを特徴とする院内情報表示システムを提供するものである。
【発明の効果】
【００１１】
本発明の院内情報表示システムによれば、中央サーバ装置が病院ごとに異なる専用の放映コンテンツを送信できる。また、病院内の各診療科ごと異なる放映コンテンツを放映することも可能となる。さらに、本発明の院内情報表示システムでは、放映コンテンツが蓄積型であることから、オンデマンドで放映することができる。
【００１２】
本発明の他の院内情報表示システムによれば、各病院独自の院内情報や各診療科に有用な医療情報等をそれぞれのディスプレイから放映することが可能となる。これにより、病院側は、待ち時間を利用した患者への教育や広告活動等が可能となる。さらに患者側は待合室にいながら医療関連情報を知ることができ、また病院側とのコミュニケーションが取れる等有益な待ち時間を過ごすことができる。
【発明を実施するための最良の形態】
【００１３】
以下に、図を用いて各発明を実施するための最良の形態を説明する。本発明はこれらの実施の形態に何ら限定されるものではなく、その要旨を逸脱しない範囲において、種々なる様態で実施しうる。なお、実施形態１は主に請求項１について説明する。また、実施形態２は主に請求項２について説明する。また、実施形態３は主に請求項３について説明する。
【００１４】
<<実施形態１>>
【００１５】
<実施形態１：概要>
図１３は本実施形態の概念図である。この図で示すように、実施形態１の院内情報表示システムは、中央サーバ装置（１３０１）がスポンサー（１３０２）や医師会（１３０３）、契約放送局（１３０４）、各病院等（１３０５）、あるいは厚生労働省（1306）等から様々な放映コンテンツを取得し、それらを蓄積する際に病院識別情報と関連付け、送信の際に当該病院識別情報で識別される病院放映端末（１３０７）に送信することを特徴とする。これにより、中央サーバ装置は病院ごとに異なる専用の放映コンテンツを送信できる。また、病院内の各診療科ごとに設置された出力部（１３０８）からそれぞれ異なる放映コンテンツを放映することも可能となる。
【００１６】
<実施形態１：構成>  
図１は、本実施形態の院内情報表示システムにおける機能ブロック図の一例である。この図で示すように院内情報表示システム（０１００）は、中央サーバ装置（０１０１）と、病院放映端末（０１０２）とから構成され、中央サーバ装置（０１０１）は蓄積部（０１０３）と送信部（０１０４）とを有し、病院放映端末（０１０２）は保持部（０１０５）とタイマー（０１０６）と出力部（０１０７）とを有する。以下、本実施形態の院内情報表示システムの構成について説明する。なお、本件発明の構成要素である各部は、ハードウェア、ソフトウェア、ハードウェアとソフトウェアの両者、のいずれかによって構成される。
【００１７】
（（中央サーバ装置の構成））
「中央サーバ装置」（０１０１）は、蓄積部と、送信部を有するサーバであって、放映コンテンツや病院識別情報等の情報を取得し、蓄積し、管理し、処理し、配信し、または送信することが可能な装置である。本発明において「蓄積」とは、記録媒体等に情報を記憶させる概念であり、また「管理」とは、情報の追加、変更、削除が可能な概念をいう。なお、本発明において「病院」とは、単に病院を指すだけではなく、医院、薬局、老人ホーム、その他の医療機関を含めた広く医療関連業務を行う機関をいう。
【００１８】
中央サーバ装置のハードウェア構成は、院内情報表示システムを実行する上で必要な各種プログラム、放映コンテンツ等の必要な情報を記憶するためのハードディスク等の不揮発性メモリ、前記プログラムを実行するための場であるＲＡＭ等のメインメモリ、前記プログラムに従って演算処理を行うＣＰＵ、タイマー、情報の出入力を行うＩ／Ｏ（インプット・アウトプット）、前記各ハードウェアを連絡するバスを有する。また、Ｉ／Ｏがインターネットに接続されている場合にはモデムを、またＤＶＤ等の記録媒体から放映コンテンツを取得する場合にはＩ／Ｏに接続された若しくは内蔵された読み取り可能なドライブ装置を有する。
【００１９】
中央サーバ装置は、院内情報表示システム内において後述する病院放映端末とネットワーク通信回線によって結ばれている。ネットワーク通信回線とは、例えば、インターネットやイントラネット等が該当する。
【００２０】
以下、中央サーバ装置にある蓄積部と通信部の構成について説明する。
【００２１】
（蓄積部の構成）
「蓄積部」（０１０３）とは、病院識別情報と、取得した放映コンテンツとを関連付けて蓄積するように構成されている。蓄積部のハードウェア構成は、中央サーバ装置におけるハードディスク等の不揮発性メモリが該当する。
【００２２】
「病院識別情報」とは、各病院に設置される病院放映端末を識別する情報であって、例えば、病院名、病院放映端末送信用アドレス、病院識別ＩＤ、科目識別ＩＤ等から構成されている。
【００２３】
病院放映端末送信用アドレスとは、中央サーバ装置がネットワーク通信回線を介して病院放映端末に放映コンテンツ等を送信する際に必要となる通信アドレスである。例えば、ＩＰアドレス等が該当する。病院放映端末送信用アドレスは、各病院が既に所有するＩＰアドレス等を利用してもよいし、病院放映端末を設置時に院内情報表示システムから当該端末に割り当てられてもよい。
【００２４】
病院識別ＩＤとは、本実施形態の院内情報表示システムに登録した病院ごとに割り当てられるＩＤである。例えば、数字、文字、記号、若しくはそれらの組み合わせ（以下「番号等」とする）によって構成される識別コード番号や、バーコード、２次元コードのような図形コード等が該当する。
【００２５】
科目識別ＩＤとは、外科、内科等の診療科や病棟等、一の病院内の異なる場所（以下「診療科等」とする。）ごとに割り当てられるＩＤである。
【００２６】
病院識別ＩＤは、病院を識別するＩＤであり、原則として一の病院に対して一つ割り当てられる。ただし、大病院等で本院の他に支院を別の地に有するような場合には、本院、支院ごとに割り当ててもよい。
【００２７】
これに対して、科目識別ＩＤの割り当ては任意である。例えば、一つの病院が複数の診療科等を有する場合にはその診療科数に応じて複数割り当てることもできるし、また割り当てないこともできる。科目識別ＩＤを割り当てない場合には診療科等が特定されない。それゆえ、この場合、中央サーバ装置から送信された放映コンテンツは、診療科等に関係なく院内共通で放映されることとなる。また、単一診療科のみからなる医院の場合には、その診療科に対応する科目識別ＩＤを割り当てることもできるし、また割り当てないようにすることもできる。科目識別ＩＤは、内科であれば「Ｉ」、小児科であれば「Ｐ」、外科であれば「Ｓ」というように診療科ごとに予め決められていてもよい。
【００２８】
病院識別ＩＤ及び科目識別ＩＤの割り当てについて、図２の病院識別情報テーブルを例に用いて具体的に説明する。この図では、複数の診療科を有するＡ、Ｂ病院、または単一診療科の医院であるＣ、Ｄ医院を示している。病院識別ＩＤは、Ａ病院は「１２３」、Ｄ医院は「１２６」のように診療科の数にかかわらず、原則として各病院に一つ割り当てられている。また、科目識別ＩＤについては、内科、小児科、外科の３つの診療科を有するＡ病院ではそれぞれの診療科を示すＩ、Ｐ、Ｓが付されている。これに対して、単一診療科のＣ医院、Ｄ医院ではＣ医院のようにその診療科である内科の科目識別ＩＤを割り当ててもよいし、Ｄ医院のように科目識別ＩＤを割り当てなくてもよい。病院識別ＩＤと科目識別ＩＤとを組み合わせることにより診療科を複数有する病院であっても個々の診療科を特定することができる。これにより、同一病院内であっても、診療科ごとに設置された出力部に対してそれぞれの診療科に適した医療情報等の放映コンテンツを送信できる。
【００２９】
病院識別ＩＤは、原則として一の病院放映端末送信用アドレスに対応している。ただし、前述のように大病院等で本院の他に支院を他の地に有するような場合には、本院、支院のそれぞれが所有する病院放映端末送信用アドレスに対応してもよい。また、一の病院が複数の病院放映端末送信用アドレスを有し、それらを本発明の院内情報表示システムに登録している場合にも、この限りではない。
【００３０】
以上のように、病院識別ＩＤが同一であれば送信する放映コンテンツが一の病院の診療科ごとに異なる場合であっても、放映コンテンツは一旦その病院の病院放映端末送信用アドレスに全て送信される。その後、各病院放映端末において科目識別ＩＤに基づき診療科ごとに振り分けるようにすればよい。例えば、図２の場合であれば、Ａ病院の病院識別ＩＤ「１２３」と内科の科目識別ＩＤ「Ｉ」が関連付けられている内科専用放映コンテンツと、Ａ病院の病院識別ＩＤ「１２３」と外科の科目識別ＩＤ「Ｓ」が関連付けられている外科専用放映コンテンツは、いずれもＡ病院の病院放映端末送信用アドレスである「２１３．Ｘ．３３．ＸＸ４」に送信される。その後、Ａ病院の病院放映端末内で「Ｉ」が関連付けられている内科専用放映コンテンツは内科の出力部で、また「Ｓ」が関連付けられている外科専用放映コンテンツは外科の出力部で出力するように振り分けられる。
【００３１】
病院識別ＩＤ及び科目識別ＩＤの生成と割り当ては、原則として中央サーバ装置が行うようにする。例えば、病院放映端末を設置する各病院が院内情報表示システムに登録した時に中央サーバ装置が自動で割り当てるようにすればよい。また、前記のように一の病院に対して複数の科目識別ＩＤを割り当てる場合には、例えば、院内情報表示システムへの登録時等に予め診療科名等の必要な情報を共に登録しておけばよい。中央サーバ装置は、それら登録された情報に基づいて図２に示したような病院識別ＩＤ、及び科目識別ＩＤを含む病院識別情報テーブル生成し、各病院の病院放映端末にその病院の病院識別情報を送信すればよい。あるいは、病院識別ＩＤは、病院識別情報内の病院放映端末送信用アドレスをそのまま利用することもできる。その場合には、科目識別ＩＤのみを割り振るようにすればよい。
【００３２】
「放映コンテンツ」とは、中央サーバ装置より病院放映端末へ送信されるコンテンツである。例えば、医療情報、公共情報、癒し系番組のような医療関連コンテンツの他、スポンサーコマーシャル、インフォマーシャル等のコンテンツが該当する。もちろん、テレビ等で放映されるニュース、ドラマ、映画等の一般的なコンテンツを含んでいてもよい。放映コンテンツは、原則として映像及び音声若しくは音（以下「音声等」とする）によって構成される。ただし、映像のみ、又は音声等のみのコンテンツであっても構わない。また、映像は、動画、静止画を問わない。なお、放映コンテンツの作製には通常多大な資金が必要となる。また、本発明の院内情報表示システムの導入や運営に関しても同様である。この問題は、当該システムをスポンサー料金運営方式にすればよい。すなわち、前述のようにコンテンツとしてスポンサーのコマーシャルを放映することにより、スポンサー料金を得て、その収入で放映コンテンツの製作や運営等を行う方式である。
【００３３】
放映コンテンツは、放映コンテンツ提供者から提供され、ネットワーク通信を介して、又はＤＶＤ等の記録媒体手段によって中央サーバ装置で取得される。取得後は、前記蓄積部に蓄積され、必要に応じて病院放映端末に送信される。蓄積部に蓄積されている放映コンテンツは、新たに取得した放映コンテンツによって更新することができる。
【００３４】
放映コンテンツ提供者とは、病院放映端末への送信を目的とする前記放映コンテンツを提供する事業者等であり、例えば、ネット放送局事業者、院内情報表示システムの運営スポンサー、国や地方自治体、医療団体等が挙げられる。このような放映コンテンツ提供者は、院内情報表示システムに予め登録されていることが望ましい。
【００３５】
放映コンテンツ提供者から放映コンテンツを取得した際に、中央サーバ装置は当該放映コンテンツに対して放映コンテンツ識別情報を関連付けておくと便利である。放映コンテンツ識別情報とは、放映コンテンツを識別するための情報であって、例えば、放映コンテンツ識別ＩＤ、放映コンテンツ提供者名、放映コンテンツカテゴリー情報、放映時間長、放映コンテンツ取得日時、更新番号等で構成されている。放映コンテンツ識別情報は、中央サーバ装置内で保持され、また管理されるが、放映コンテンツ提供者に送信しても構わない。
【００３６】
ここで、放映コンテンツ識別ＩＤとは、中央サーバ装置が放映コンテンツに対して割り当てる放映コンテンツの識別ＩＤをいう。放映コンテンツが新規のものではなく、更新されたものである場合には、放映コンテンツ識別ＩＤは同一であっても構わない。この場合、更新番号によって当該放映コンテンツがいずれの更新時のものかを区別できるようにするとよい。当該コンテンツ識別ＩＤは、前記病院識別ＩＤと同様、番号等によって構成される識別コード番号や、バーコード、２次元コードのような図形コード等であればよい。
【００３７】
放映コンテンツカテゴリー情報とは、その放映コンテンツの分類情報をいう。例えば、図９の放映コンテンツ識別情報テーブルで示すように、院内情報表示システムの運営スポンサーのコマーシャルであれば「ＣＭ」カテゴリー、「がん予防番組」等の医療番組コンテンツであれば「医療情報」カテゴリー等が該当する。このようなカテゴリーの分類項目は、予め中央サーバ装置に設定されていることが望ましい。放映コンテンツがいずれのカテゴリーに分類されるかは、放映コンテンツ提供者によって当該放映コンテンツと共に提供されることが望ましい。あるいは、予めカテゴリーの分類項目ごとに設定されたキーワードに基づいて、中央サーバ装置が放映コンテンツを取得した際に当該放映コンテンツを検索することで分類することもできる。
【００３８】
放映時間長とは、取得した放映コンテンツの放映時間の長さを示す情報である。
【００３９】
放映コンテンツ識別情報を取得した放映コンテンツに関連付けることにより、例えば、ある放映コンテンツに関して同一の放映コンテンツ提供者から更新用の放映コンテンツを取得した場合に、蓄積部に蓄積された更新前の古い放映コンテンツと入れ替える時などに便利である。また、当該関連付けは、実施形態３で述べるように、放映コンテンツを編集する際にも便利である。
【００４０】
ところで、前記病院識別情報と取得した放映コンテンツとの関連付けは、中央サーバ装置が行う。放映コンテンツへの病院識別情報の関連付けの方法は、放映コンテンツを蓄積部から抽出する際にそれに付随して病院識別情報を取得できるならば、その方法は特に限定はしない。例えば、中央サーバ装置に予め入力された関連付けプログラムに従って、放映コンテンツを取得後に前記病院識別情報リスト中の所定の病院識別情報とリンクさせる方法が挙げられる。
【００４１】
取得した放映コンテンツを蓄積する際にどの病院識別情報を関連付けさせるかについては、放映コンテンツの種類によって異なる。例えば、取得された放映コンテンツが全ての病院放映端末に送信する種類のものであれば、全病院識別情報を関連付けるようにする。つまり、一の放映コンテンツに対して複数の病院識別情報が関連付けられてもよい。このような放映コンテンツの例としては、院内情報表示システムのスポンサーが提供したＣＭ等が挙げられる。あるいは、放映コンテンツカテゴリー情報を病院側が予め選択し、中央サーバ装置に登録しておくこともできる。これにより中央サーバ装置は、取得した放映コンテンツに関連付けられた放映コンテンツ識別情報内の放映コンテンツカテゴリー情報と、予め登録された各病院の放映コンテンツカテゴリー情報とを比較する。当該放映コンテンツカテゴリー情報が合致した場合には、その病院の病院識別情報を当該取得した放映コンテンツに関連付ければよい。このように、中央サーバ装置が取得した放映コンテンツに対して各病院が自己の病院識別情報を選択的に関連付けることができるようにすることで、病院は自分の所望する放映コンテンツのみを自己の病院放映端末に選択的に送信させることができる。具体例を挙げて説明すると、Ｂ病院は、ドラマや映画等の「娯楽」放映コンテンツカテゴリー情報が関連付けられた放映コンテンツの放映を自己の病院に設置している病院放映端末で望んでいないとする。その場合には、「娯楽」放映コンテンツカテゴリー情報を非選択として中央サーバ装置に登録しておく。それよって中央サーバ装置は、放映コンテンツを取得した際に「娯楽」放映コンテンツカテゴリー情報が関連付けられたものはＢ病院の病院識別情報を関連付けないようにすることができる。逆にＢ病院が「医療情報」放映コンテンツカテゴリー情報の放映コンテンツの放映を自己の病院放映端末において望む場合には、当該カテゴリーを選択して中央サーバ装置に登録しておくことで、取得した放映コンテンツが「医療情報」放映コンテンツカテゴリー情報に属するものであればＢ病院の病院識別情報を関連付けるようにすればよい。
【００４２】
（送信部）
「送信部」（０１０４）とは、蓄積部に蓄積されている放映コンテンツを病院識別情報で識別される病院放映端末に送信するように構成されている。具体例としては、まず、送信部が中央サーバ装置に予め入力されている送信用プログラムに従って、蓄積されている放映コンテンツに関連付けられた病院識別情報から病院放映端末送信用アドレスを抽出する。続いて、その放映コンテンツを当該病院放映端末送信用アドレスに送信する。このとき、当該病院識別情報に含まれる科目識別ＩＤを関連付けて送信することもできる。前述のように、一の病院に対して科目識別ＩＤが複数割り当てられている場合には、科目識別ＩＤを放映コンテンツと関連付けて送信することで、病院放映端末がその科目識別ＩＤに従って放映コンテンツを適切な出力部に割り振ることができる。
【００４３】
送信部のハードウェア構成は、中央サーバ装置におけるＣＰＵ、メインメモリ、不揮発性メモリ、Ｉ／Ｏ等が該当する。
【００４４】
中央サーバ装置の管理は、所定の管理事業者によって行われることが好ましい。例えば、院内情報表示システム運営事業者やインターネット放送事業者等が挙げられる。中央サーバ装置の数は、一の院内情報表示システムに原則一つあれば足りる。しかし、当該システムの運用上、一の中央サーバ装置では処理できない等の理由がある場合には一の院内情報表示システムに複数存在させることも可能である。ただし、この場合には、一の病院放映端末に対して同一の放映コンテンツを重複して送信することのないよう各中央サーバ装置は一元的に管理され、全体として一の中央サーバ装置として機能することが望ましい。
【００４５】
（（病院放映端末の構成））
「病院放映端末」（０１０２）は、保持部と、タイマーと、出力部とを有する端末であって、情報を受信し、取得し、保持し、処理し、放映することが可能な端末である。その主な機能は、前記中央サーバ装置から送信される放映コンテンツ等を受信し、保持した後、タイマーの出力に応じて設定された時間に所望の放映コンテンツを出力部から出力することである。
【００４６】
当該病院放映端末は単なる端末ではなく、複数の出力部を有するサーバ装置として機能できる。病院放映端末は中央サーバ装置から送信された放映コンテンツを受信した後、その放映コンテンツをその病院放映端末が有する全出力部に同時に送信できる。つまり、この場合は病院内のいずれの出力部からも同一の放映コンテンツが放映されることとなる。また、病院放映端末は中央サーバ装置から送信された放映コンテンツを受信した後、その放映コンテンツを病院内の異なる出力部に振り分けることもできる。これは、例えば、予め各出力部と科目識別ＩＤとを関連付けておき、また中央サーバ装置が放映コンテンツの送信時に放映コンテンツと科目識別ＩＤとを関連付けておけばよい。これにより、病院内に設置された複数の出力部からそれぞれ異なる放映コンテンツを放映することが可能となる。
【００４７】
病院放映端末は一の院内情報表示システムに対して通常複数存在する。なぜなら、院内情報表示システムに登録している病院は通常服数あるためである。病院放映端末本体の設置場所は特に限定しないが、当該端末の出力部は本発明の目的上、病院の待合室や休憩室等その病院の患者や来院者の目に付きやすい場所（以下「待合室等」とする。）に設置することが望ましい。
【００４８】
病院放映端末のハードウェア構成は、院内情報表示システムを実行する上で必要な各種プログラムや放映コンテンツ等の必要な情報を記憶するための不揮発性メモリ、前記プログラムを実行するための場であるＲＡＭ等のメインメモリ、前記プログラムに従って演算処理を行うＣＰＵ、タイマー、Ｉ／Ｏ等で構成される。また、Ｉ／Ｏがインターネットに接続されている場合にはモデムを有する。
【００４９】
以下、病院放映端末にある保持部、タイマー、出力部の構成について説明する。
【００５０】
（保持部の構成）
「保持部」（０１０５）は、送信された放映コンテンツを保持するように構成されている。
【００５１】
保持部のハードウェア構成は、病院放映端末における不揮発性メモリが該当する。不揮発性メモリの総容量は、放映コンテンツを保持する上で十分な容量を有する必要がある。当該容量は保持する放映コンテンツの放映時間長によって異なるが、例えば、２時間の放映コンテンツを保持するのであれば６ＧＢ以上あることが好ましい。放映コンテンツは、中央サーバ装置から送信される新たな放映コンテンツにより随時更新されるが、更新によって更新前の古い放映コンテンツは通常放映されなくなることから放映コンテンツを累積的に保持する必要はない。したがって、保持部を構成する不揮発性メモリは、読み書き、消去可能な記録媒体であることが好ましい。例えば、ハードディスクやＤＶＤ−ＲＡＭ等が該当する。
【００５２】
保持部は、二以上の不揮発性メモリから構成されていることが好ましい。これは、放映コンテンツを放映している時に、同時に中央サーバ装置から送信された更新用放映コンテンツを保持できるようにするためである。
【００５３】
病院放映端末は受信した放映コンテンツを保持部に保持する際に、当該放映コンテンツの放映時間を予め設定して、それを当該放映コンテンツに関連付けて保持させるようにしてもよい。ここで放映時間とは、放映コンテンツの放映開始時間若しくは放映終了時間をいう。これによって、放映コンテンツの放映を所望する時間に設定することができる。
【００５４】
（タイマーの構成）
「タイマー」（０１０６）は、時間情報を後述の出力部に出力できる装置である。タイマーは、時間を計測する機能を有した装置であれば特に限定しない。例えば、時計、時間機能のついたカレンダー等が該当する。当該タイマーは、電池等の二次電源を有することで病院放映端末の電源とは独立して時間を計測できるようにすると便利である。
【００５５】
タイマーは、一の病院放映端末に複数あってもよい。例えば、後述する出力部が一の病院放映端末に複数あるときに、出力部ごとにタイマーを設置する場合等が該当する。
【００５６】
（出力部の構成）
「出力部」（０１０７）とは、病院放映端末にあり、タイマーの出力に応じて保持されている放映コンテンツを出力するように構成されている。「タイマーの出力に応じて」とは、タイマーから出力される時間情報に応じて、という意味である。つまり、出力部は既存のビデオプレーヤの予約再生機能と同様に、タイマーから時間情報を取得し、予め設定された放映プログラムに従って保持部に保持されている放映コンテンツを映像及び音声等として再生する機能を有する。
【００５７】
出力部は、前述のように一の病院放映端末に複数あってもよい。特に、待合室等が複数設置されている病院では、各待合室等ごとに出力部を設置することが好ましい。例えば、内科病棟の待合室に設置された出力部、外科病棟の待合室に設置された出力部等が該当する。このように出力部が複数ある場合には、各診療科等の出力部ごとに前述の科目識別ＩＤを関連付けておくと便利である。
【００５８】
出力部のハードウェア構成は、タイマーの出力に応じて放映コンテンツを出力する上で必要な各種プログラムを記憶するための不揮発性メモリ、前記プログラムを実行するための場であるメインメモリ、前記プログラムに従って演算処理を行うＣＰＵ、また、映像や音声等を出力するディスプレイやスピーカ等が該当する。ここでいうディスプレイとは、プラズマディスプレイ、液晶ディスプレイ、ＥＬディスプレイ、ＳＥＤディスプレイ、ＣＲＴ等のディスプレイが該当する。あるいは、プロジェクタースクリーンであってもよい。プラズマディスプレイ、液晶ディスプレイ、ＥＬディスプレイ、ＳＥＤディスプレイ等の薄型のディスプレイが設置の際に場所をとらないことから好ましい。また、ディスプレイのサイズは、前述のように病院放映端末が主として病院の待合室に設置されることを鑑みれば、２５インチ以上であることが好ましい。
【００５９】
<実施形態１：ハードウェア構成上の各部の実現>  
本実施形態の各部を実現するためのハードウェア構成について説明をする。図３は、本実施形態の院内情報表示システムにおけるハードウェアの構成の一例である。本実施形態の院内情報表示システム（０３００）は、中央サーバ装置又は病院放映端末のメインメモリ上に展開されたプログラムを順次実行することで、メモリ上のデータやＩ／Ｏを介して入力されるデータの加工、蓄積、出力等により各部の機能が実現される（本明細書を通じて同様である。）。以下、本実施形態のハードウェア構成を中央サーバ装置（０３０１）に関するハードウェア構成と、病院放映端末（０３０２）に関するハードウェア構成に分けて、それぞれ具体的に説明する。
【００６０】
（中央サーバ装置に関する各部の実現）
まず、中央サーバ装置のＣＰＵ１（０３０３）は、Ｉ／Ｏ１（０３０６）より受信した放映コンテンツをメインメモリ１（０３０４）に格納する。次に、ＣＰＵ１は、病院識別情報関連付け用プログラムを不揮発性メモリ１（０３０５）からメインメモリ１上に呼び出す。続いて、ＣＰＵ１は、メインメモリ１上に展開された当該病院識別情報関連付け用プログラムを順次実行し、放映コンテンツに病院識別情報を関連付ける。当該関連付けられた放映コンテンツは、蓄積部である不揮発性メモリ１の所定の場所に格納される。
【００６１】
また、ＣＰＵ１は、放映コンテンツ送信プログラムを不揮発性メモリ１からメインメモリ１上に呼び出す。ＣＰＵ１は、メインメモリ１上に展開された当該放映コンテンツ送信プログラムを順次実行し、不揮発性メモリ１に格納された放映コンテンツを必要に応じてメインメモリ１上に呼び出す。続いて、ＣＰＵ１は、放映コンテンツに関連付けられた病院識別情報から送信アドレスを抽出し、当該放映コンテンツをその送信アドレス先に送信するように出力する。放映コンテンツはＩ／Ｏ１から出力され、インターネット等のネットワーク通信を介して送信先の病院放映端末に送信される。
【００６２】
（病院放映端末に関する各部の実現）
まず、病院放映端末のＣＰＵ２（０３０７）は、Ｉ／Ｏ２（０３１０）より受信した放映コンテンツをメインメモリ２（０３０８）に格納する。次に、ＣＰＵ２は、放映コンテンツを保持部である不揮発性メモリ２（０３０９）の所定の場所に格納する。
【００６３】
また、ＣＰＵ２は、放映コンテンツ送信プログラムを不揮発性メモリ２からメインメモリ２上に呼び出す。次に、ＣＰＵ２は、メインメモリ２上に展開された当該放映コンテンツ送信プログラムを順次実行し、時間情報をタイマー（０３１１）から取得する。最後に、放映コンテンツ送信プログラムに設定された時間情報をタイマーより取得した時に、当該プログラム上に設定された該当する放映コンテンツをディスプレイ（０３１２）とスピーカ（０３１３）から出力する。以上によって、本実施形態の院内情報表示システムを実現することができる。
【００６４】
<実施形態１：処理の流れ>  
図４は、本実施形態の院内情報表示システムにおける処理の流れの一例である。
【００６５】
中央サーバ装置においては、まず、放映コンテンツ提供者から提供される放映コンテンツを取得する（Ｓ０４０１  放映コンテンツ取得工程）。次に、取得した放映コンテンツを病院識別情報と関連付けて蓄積部に蓄積する（Ｓ０４０２  蓄積工程）。続いて、病院識別情報で識別される病院放映端末に放映コンテンツを送信する（Ｓ０４０３  送信工程）。中央サーバ装置が、再度放映コンテンツを取得する場合には前記放映コンテンツ取得工程（Ｓ０４０１）に戻る。
【００６６】
また、病院放映端末においては、まず、前記中央サーバ装置の送信工程（Ｓ０４０３）で送信された放映コンテンツを受信する（Ｓ０４０４  放映コンテンツ受信工程）。次に、受信した放映コンテンツを保持部にて保持する（Ｓ０４０５  保持工程）。そして、タイマーの出力に応じて保持している放映コンテンツを出力部より出力する（Ｓ０４０６  出力工程）。病院放映端末が、放映コンテンツを再度受信する場合には、前記放映コンテンツ受信工程（Ｓ０４０４）に戻る。以上の処理の流れによって、本実施形態の院内情報表示システムを実現することができる。
【００６７】
<実施形態１：効果>  
本実施形態の院内情報表示システムによれば、中央サーバ装置が病院ごとに異なる専用のコンテンツを送信することができる。また、病院内の各診療科ごとに異なる放映コンテンツを放映することも可能となる。さらに、本発明の院内情報表示システムでは、放映コンテンツが蓄積型であることから、オンデマンドで放映することができる。これにより、各病院が所望する放映コンテンツをディスプレイから放映することが可能となる。
【００６８】
<<実施形態２>>
【００６９】
<実施形態２：概要>
実施形態２の院内情報表示システムは、前記実施形態１の院内情報表示システムを基本としながら、保持部が保持している放映コンテンツを繰返し放映することを特徴とする。
【００７０】
<実施形態２：構成>
図５は、実施形態２の院内情報表示システムにおける機能ブロック図の一例である。この図で示すように本実施形態の院内情報表示システム（０５００）は、前記実施形態１の構成を基本とする。本実施形態に特徴的な構成は、出力部（０５０７）が繰返出力手段（０５０８）を有する点にある。以下、本実施形態の構成について説明するが、中央サーバ装置（０５０１）、病院放映端末（０５０２）、蓄積部（０５０３）、送信部（０５０４）、保持部（０５０５）、タイマー（０５０６）、出力部（０５０７）については、実施形態１で説明した出力部と同様であることからその説明を省略する。
【００７１】
（繰返出力手段の構成）
「繰返出力手段」（０５０８）は、保持部に保持されている放映コンテンツを繰り返し放映するように構成されている。つまり、繰返出力手段とは、オーディオビジュアルプレーヤ等で一般的に知られるリピート機能と同様の機能を有する手段である。「繰り返し放映する」とは、一の放映コンテンツを最後まで通して放映した後、同一の放映コンテンツを再度最初から放映することを繰り返すことである。
【００７２】
放映コンテンツを繰り返して出力するには、予め繰返出力手段に入力されている繰返出力用プログラムを実行すればよい。当該プログラムは、放映コンテンツの放映終了を認識したときに、当該放映コンテンツの放映を直ちに最初から再開させるプログラムであればよい。
【００７３】
保持部に保持されている放映コンテンツが複数ある場合には、保持部に保持される際にナンバリングを付す等しておき、複数の放映コンテンツを当該保持ナンバー順に一連の放映コンテンツを一つの放映コンテンツとみなして繰り返し放映すればよい。つまり、最後の保持ナンバーの放映コンテンツの放映終了後は、最初の保持ナンバーの放映コンテンツに戻って再度一連の放映コンテンツを放映すればよい。
【００７４】
繰返出力を実行するか否かは、各病院放映端末において自由に設定できる。当該設定のための入力情報は、病院放映端末において予め入力されている繰返出力設定用プログラムに従って、各病院放映端末の管理者により作成されればよい。あるいは当該繰返出力設定用プログラムに予め入力されたデフォルト情報を設定情報としてもよい。
【００７５】
繰返出力手段のハードウェア構成は、各種プログラムを記憶するための不揮発性メモリ、前記プログラムを実行するための場であるメインメモリ、前記プログラムに従って演算処理を行うＣＰＵ等が該当する。
【００７６】
<実施形態２：ハードウェア構成上の各部の実現>
本実施形態の院内情報表示システムにおけるハードウェア構成上の各部の実現については実施形態１と同様である。したがって、その説明は省略する。
【００７７】
<実施形態２：処理の流れ>
図６は、本実施形態の院内情報表示システムにおける処理の流れの一例である。この図で示すように、本実施形態の処理の流れは前記実施形態１の処理の流れを基本としており特に中央サーバ装置においては同様である。したがって、放映コンテンツ取得工程（Ｓ０６０１）、蓄積工程（Ｓ０６０２）、送信工程（Ｓ０６０３）についての説明は省略する。
【００７８】
また、病院放映端末においては、まず、前記中央サーバ装置の送信工程（Ｓ０６０３）で送信された放映コンテンツを受信する（Ｓ０６０４  放映コンテンツ受信工程）。次に、受信した放映コンテンツを保持部にて保持する（Ｓ０６０５  保持工程）。続いて、タイマーの出力に応じて保持している放映コンテンツを出力部より出力する（Ｓ０６０６  出力工程）。放映コンテンツの放映が終了した時に、繰り返し放映するか否かを判断する（Ｓ０６０７  繰返放映判断工程）。放映を繰り返し行うのであれば（Ｓ０６０７  繰返放映判断工程Ｙｅｓ）、放映が終了した放映コンテンツを再度最初から放映する（Ｓ０６０８  繰返放映工程）。また、病院放映端末が放映コンテンツを新たに受信する場合には、前記放映コンテンツ受信工程（Ｓ０６０４）に戻る。以上の処理の流れによって、本実施形態の院内情報表示システムを実現することができる。
【００７９】
<実施形態２：効果>
本実施形態によれば、保持部が保持している放映コンテンツを連続して繰返し放映することができる。
【００８０】
<<実施形態３>>
【００８１】
<実施形態３：概要>
実施形態３の院内情報表示システムは、前記実施形態１又は２の院内情報表示システムを基本としながら、中央サーバ装置が各病院から個別コンテンツを取得し、当該個別コンテンツを含む放映コンテンツを編集した後、蓄積部に記録することを特徴とする。これにより、各病院は院内インフォメーション等、その病院独自の放映コンテンツを他の放映コンテンツに織り交ぜた自己専用の編集済み放映コンテンツとして受信することができる。
【００８２】
<実施形態３：構成>
図７は、実施形態３の院内情報表示システムにおける機能ブロック図の一例である。本実施形態の院内情報表示システムは、前記実施形態１又は２の構成を基本とする。この図で示す院内情報表示システム（０７００）は、実施形態２の構成を基本とする例を示している。本実施形態の特徴は、中央サーバ装置が個別コンテンツ取得部（０７０９）、編集部（０７１０）、記録部（０７１１）を有する点にある。
【００８３】
以下、本実施形態の構成について説明するが、中央サーバ装置（０７０１）、病院放映端末（０７０２）、蓄積部（０７０３）、送信部（０７０４）、病院放映端末（０７０２）、保持部（０７０５）、タイマー（０７０６）、出力部（０７０７）、繰返出力手段（０７０８）については、実施形態１又は２で説明した出力部と同様であることからその説明を省略する。したがって、ここでは本実施形態に特徴的な個別コンテンツ取得部（０７０９）、編集部（０７１０）、記録部（０７１１）について説明する。
【００８４】
（個別コンテンツ取得部の構成）
「個別コンテンツ取得部」（０７０９）は、各病院からの個別コンテンツを取得するように構成されている。
【００８５】
「個別コンテンツ」とは、放映コンテンツの中で特に各病院から提供されるその病院専用の放映コンテンツをいう。例えば、院内インフォメーション（各診療科ごとに異なる院内インフォメーション等を含む。）やその病院オリジナルの医療用番組等が該当する。
【００８６】
個別コンテンツの取得方法は、それ以外の他の放映コンテンツ（以下「一般放映コンテンツ」とする。）と同様に、ネットワーク通信回線を介して各病院から送信されてもよいし、ＤＶＤ等の記録媒体の状態で提供されてもよい。
【００８７】
個別コンテンツは、その情報内容の特殊性から原則として当該コンテンツを提供した病院以外の病院には送信されない。したがって、取得時に一般放映コンテンツと区別できる情報を関連付けておく必要がある。
【００８８】
取得した放映コンテンツを一般放映コンテンツと区別するための方法としては、放映コンテンツ提供者が本院内情報表示システム情報に登録された病院であった場合には、原則として個別コンテンツとみなすようにすればよい。登録された病院か否かについては、例えば、前記病院識別ＩＤを有する病院からの提供か否かで判断すればよい。もしも、当該登録された病院が、自己の提供する放映コンテンツを他の病院へに対しても配信したい場合には、個別コンテンツでない旨を別途関連付けて提供すればよい。
【００８９】
取得した個別コンテンツが一般放映コンテンツと区別するための他の方法としては、例えば、実施形態１で述べた放映コンテンツカテゴリー情報等を利用する方法が挙げられる。放映コンテンツ提供者である病院は、個別コンテンツを中央サーバ装置に提供する際に、放映コンテンツカテゴリー情報として「病院専用」を関連付けておく。これによって図９で示す放映コンテンツ識別情報テーブルの放映コンテンツカテゴリー情報欄には「病院専用」が付されることとなる。このように病院専用のカテゴリーに分類されたコンテンツは原則として放映コンテンツ提供者である病院に対してのみ病院識別情報の関連付けが許可されるように予め設定しておけばよい。例えば、図９の場合であれば、「病院専用」放映コンテンツカテゴリー情報が関連付けられた「Ａ病院用院内情報」は、放映コンテンツ提供者であるＡ病院の病院識別情報のみ関連付けが許可されるようにすればよい。
【００９０】
個別コンテンツ取得部のハードウェア構成は、中央サーバ装置における各種プログラムを記憶するための不揮発性メモリ、前記プログラムを実行するための場であるメインメモリ、前記プログラムに従って演算処理を行うＣＰＵ、個別コンテンツを受信するＩ／Ｏ等が該当する。また、個別コンテンツ取得部は、個別コンテンツをインターネット等のネットワーク通信回線を介して受信する場合にはモデムを有し、個別コンテンツが個別コンテンツをＤＶＤ等の記録媒体で提供される場合には前記Ｉ／Ｏに接続された専用の記録媒体読み込み用ドライブ等を有している。
【００９１】
（編集部の構成）
「編集部」（０７１０）は、取得した個別コンテンツを含む放映コンテンツを編集するように構成されている。すなわち、編集部では個別コンテンツを含む複数の放映コンテンツを一連の放映コンテンツとして並び替えを行う。当該編集された放映コンテンツは、編集済放映コンテンツとして一つの放映コンテンツとして病院放映端末に送信される。
【００９２】
編集部における放映コンテンツの編集は、例えば、番組編集用テーブル等によって行えばよい。番組編集用テーブルは、図１０で示すようなスケジュール表形式のものが利用できる。この図で示す番組編集用テーブルは、放映時間枠であるタイムテーブル、その放映時間枠の放映時間長、そしてその放映時間枠で放映するべき番組項目である放映コンテンツカテゴリー情報が予め設定されている。しかし、各時間枠においてどの放映コンテンツを放映するかを示す放映コンテンツ識別ＩＤは定められていない。そこで、編集部は放映時間長及び放映コンテンツカテゴリー情報に基づいて、当該放映時間枠に適合する放映コンテンツを前述の放映コンテンツ識別情報テーブルより抽出し、その放映コンテンツ識別ＩＤを当該番組編集用テーブルの放映コンテンツ識別ＩＤ枠に記録する。例えば、図１１の下表で示す番組編集用テーブルであれば、最初の放映時間枠は放映時間長が「１５秒」で、また放映コンテンツカテゴリー情報が「ＣＭ」となっている。編集部は上表で示す放映コンテンツ識別情報テーブルに含まれる放映コンテンツの中からこれらの条件に適合するものを検索し、適合するものがあればその放映コンテンツの放映コンテンツ識別ＩＤを当該放映時間枠の放映コンテンツ識別ＩＤとして記録する。図１１では、前記放映条件に適合する放映コンテンツの放映コンテンツ識別ＩＤは「ＣＭ−Ｙ０３」であることから、この放映コンテンツ識別ＩＤが記録されることとなる。
【００９３】
放映条件に適合する放映コンテンツが複数ある場合にはランダムに関連付けてもよい。また、緩やかな選択圧をかけておくことで、ランダムな関連付けによる偶然的な同一放映コンテンツの選択が生じないようにすることもできる。例えば、放映コンテンツに関連付けカウント情報を付し、当該関連付けで選択された場合には関連付けカウント情報が加算されるようにしておく。ここで、関連付けカウント情報の数値があまり偏重しないように予め設定しておけばよい。
【００９４】
ところで、上記のように適合する放映コンテンツが複数生じる原因は、異なる放映コンテンツであるにもかかわらず、放映コンテンツカテゴリー情報と放映時間長が同一であるものが複数存在するためである。そこで、放映コンテンツカテゴリー情報と放映時間長が同一であるような放映コンテンツに関しては、予め優先順位等を付すようにしてもよい。例えば、放映コンテンツカテゴリー情報が「ＣＭ」であり、かつ、放映時間長が「１５秒」である放映コンテンツがＣＭ１、ＣＭ２、ＣＭ３の３つ存在している場合、優先順位をＣＭ２が１番、ＣＭ１が２番、ＣＭ３が３番としておく。編集部は「ＣＭ：１５秒」の条件に適合する放映コンテンツを検索した際には、まず、優先順位が１番であるＣＭ２を適合する放映コンテンツとして選択する。次に、再び「ＣＭ：１５秒」の条件に適合する放映コンテンツを検索した際には、優先順位が２番であるＣＭ１を適合する放映コンテンツとして選択する、というようにすればよい。
【００９５】
また、番組編集用テーブルにおける放映コンテンツ識別ＩＤを予め固定しておくこともできる。例えば、図１２で示すＡ病院専用番組編集用テーブルの場合、放映コンテンツ識別ＩＤ「ＡＨＰＩ−１」が予め設定されている。したがって、この放映時間枠には当該放映コンテンツ識別ＩＤが関連付けられた放映コンテンツ、すなわちＡ病院自身が提供し、自己の病院放映端末で放映するためのＡ病院用院内情報のみが蓄積部から抽出され、関連付けられる。このように、放映コンテンツ識別ＩＤを所定の放映時間枠に固定すれば、同一の放映コンテンツ提供者により放映コンテンツが更新された際には、当該固定された時間枠の番組を更新するだけで済むため便利である。
【００９６】
番組編集用テーブルは、中央サーバ装置で作成することができる。この場合、番組編集用テーブルはいずれの病院放映端末にも共通して利用される画一されたものであってもよいし、それぞれの病院専用のものであってもよい。あるいは、番組編集用テーブルは、各病院が自由に作成して中央サーバ装置に登録したものでもよい。
【００９７】
編集部のハードウェア構成は、中央サーバ装置における各種プログラムを記憶するための不揮発性メモリ、前記プログラムを実行するための場であるメインメモリ、前記プログラムに従って演算処理を行うＣＰＵ等が該当する。
【００９８】
（記録部の構成）
「記録部」（０７１１）は、編集した放映コンテンツを蓄積部に記録するように構成されている。編集した放映コンテンツとは、前記編集部で述べた編集済放映コンテンツのことである。編集済放映コンテンツは、番組編集用テーブルに記録され、また当該編集済放映コンテンツが関連付けられた番組編集テーブルは、編集済番組編集テーブルとして蓄積部に蓄積されている。
【００９９】
記録部は、編集部から取得した編集済番組編集テーブル病院識別情報を関連付けて、当該編集した放映コンテンツを蓄積部に記録する。本実施形態の編集済放映コンテンツは、個別コンテンツを含むことから原則としてその個別コンテンツの提供先である病院の病院識別情報のみが関連付けられる。
【０１００】
<実施形態３：ハードウェア構成上の各部の実現>
本実施形態の各部を実現するためのハードウェア構成について説明をする。本実施形態のハードウェア構成は、図３で示した実施形態１と同様であるため、ここでは新たに図示しない。以下、本実施形態のハードウェア構成を実現するための説明をするが、病院放映端末（０３０２）における実現は実施形態１と同様であることからその説明は省略し、本実施形態に特徴的な中央サーバ装置（０３０１）に関してのみ説明する。
【０１０１】
（中央サーバ装置に関する各部の実現）
まず、中央サーバ装置のＣＰＵ１（０３０３）は、放映コンテンツ提供者が送信した一般放映コンテンツをＩ／Ｏ１から受信し、メインメモリ１（０３０４）に格納する。次に、ＣＰＵ１は、当該一般放映コンテンツを不揮発性メモリ１の所定の場所にそれを格納する。また、各病院の個別コンテンツを病院識別情報と関連付けてＩ／Ｏ１（０３０６）から受信し、それらをメインメモリ１（０３０４）に格納する。
【０１０２】
また、中央サーバ装置のＣＰＵ１（０３０３）は、各病院が送信した個別コンテンツをＩ／Ｏ１から受信し、メインメモリ１（０３０４）に格納する。次に、ＣＰＵ１は、不揮発性メモリ１（０３０５）から放映コンテンツ編集用プログラムをメインメモリ１上に呼び出す。ＣＰＵ１は、メインメモリ１上に展開された当該プログラムを順次実行し、不揮発性メモリ１に保持されている一般放映コンテンツをメインメモリ１に呼び出す。あるいは、一般放映コンテンツは不揮発性メモリ１に一旦格納されることなく、受信されてメインメモリ１に格納された後、そのまま以下の作業が行われてもよい。続いて、ＣＰＵ１は、放映コンテンツ編集用プログラムの実行により不揮発性メモリ１から番組編集用テーブルをメインメモリ１上に呼び出し、当該テーブルに適合する一般放映コンテンツ、若しくは個別コンテンツを関連付ける。このように、放映コンテンツの関連付けがなされた編集済番組編集テーブルが、一の放映コンテンツとして各病院放映端末に送信するための情報となる。
【０１０３】
次に、ＣＰＵ１は、病院識別情報関連付用プログラムを不揮発性メモリ１からメインメモリ１上に呼び出す。ＣＰＵ１は、メインメモリ１上に展開された病院識別情報関連付用プログラムを順次実行し、前記編集済番組編集テーブルに病院識別情報を関連付ける。このとき関連付けられる病院識別情報は、編集済番組編集テーブルに格納された個別コンテンツを提供した病院の病院識別情報である。当該関連付けられた編集済番組編集テーブルは、蓄積部である不揮発性メモリ１の所定の場所に格納される。
【０１０４】
そして、ＣＰＵ１は、編集済放映コンテンツ送信プログラムを不揮発性メモリ１からメインメモリ１上に呼び出す。ＣＰＵ１は、メインメモリ１上に展開された当該編集済放映コンテンツ送信プログラムを順次実行し、不揮発性メモリ１に格納された編集済番組編集テーブルを必要に応じてメインメモリ１上に呼び出す。続いて、ＣＰＵ１は、編集済番組編集テーブルに関連付けられた病院識別情報から送信アドレスを抽出し、また、編集済番組編集テーブルに格納された放映コンテンツ及び個別コンテンツを一の放映コンテンツとして前記送信アドレス先に送信するように出力する。放映コンテンツはＩ／Ｏ１から出力され、インターネット等のネットワーク通信を介して送信先の病院放映端末に送信される。以上によって、本実施形態の院内情報表示システムを実現することができる。
【０１０５】
<実施形態３：処理の流れ>
本実施形態の処理の流れは前記実施形態１または２の処理の流れを基本とする。図８は、本実施形態の院内情報表示システムにおける処理の流れの一例である。この図で示す本実施形態の処理の流れは実施形態２の処理の流れを基本としている。
【０１０６】
中央サーバ装置においては、まず、放映コンテンツ提供者から提供される一般放映コンテンツを取得する（Ｓ０８０１  一般放映コンテンツ取得工程）。また、各病院から提供される個別コンテンツを取得する（Ｓ０８０２  個別コンテンツ取得工程）。一般放映コンテンツ取得工程（Ｓ０８０１）と個別コンテンツ取得工程（Ｓ０８０２）の順序は問わない。次に、取得した一般放映コンテンツと個別コンテンツとを編集する（Ｓ０８０３  編集工程）。続いて、編集された放映コンテンツを病院識別情報と関連付けて蓄積部に記録する（Ｓ０８０４  記録工程）。次に、病院識別情報で識別される病院放映端末に放映コンテンツを送信する（Ｓ０８０５  送信工程）。中央サーバ装置が、再度一般放映コンテンツ若しくは個別コンテンツを取得する場合には放映コンテンツ取得工程（Ｓ０８０１）若しくは個別コンテンツ取得工程（Ｓ０８０２）に戻る。
【０１０７】
また、病院放映端末においては、まず、前記中央サーバ装置の送信工程（Ｓ０８０５）で送信された編集された放映コンテンツを受信する（Ｓ０８０６  放映コンテンツ受信工程）。次に、受信した放映コンテンツを保持部にて保持する（Ｓ０８０７  保持工程）。続いて、タイマーの出力に応じて保持している放映コンテンツを出力部より出力する（Ｓ０８０８  出力工程）。放映コンテンツの放映が終了した時に、繰り返し放映するか否かを判断する（Ｓ０８０９  繰返放映判断工程）。放映を繰り返し行うのであれば（Ｓ０８０９  繰返放映判断工程Ｙｅｓ）、放映が終了した放映コンテンツを再度最初から放映する（Ｓ０８１０  繰返放映工程）。また、病院放映端末が放映コンテンツを新たに受信する場合には、前記放映コンテンツ受信工程（Ｓ８０６）に戻る。以上の処理の流れによって、本実施形態の院内情報表示システムを実現することができる。
【０１０８】
<実施形態３：効果>
本実施形態の院内情報表示システムによれば、各病院は院内インフォメーション等、その病院固有の放映コンテンツを他の放映コンテンツに織り交ぜた自己専用の編集済み放映コンテンツとして受信することができる。
【図面の簡単な説明】
【０１０９】
【図１】実施形態１の院内情報表示システムにおける機能ブロック図
【図２】病院識別情報が登録された病院識別情報テーブルを説明する図
【図３】実施形態１の院内情報表示システムにおけるハードウェア構成を説明する図
【図４】実施形態１の院内情報表示システムにおける処理の流れを説明する図
【図５】実施形態２の院内情報表示システムにおける機能ブロック図
【図６】実施形態２の院内情報表示システムにおける処理の流れを説明する図
【図７】実施形態３の院内情報表示システムにおける機能ブロック図
【図８】実施形態３の院内情報表示システムにおける処理の流れを説明する図
【図９】放映コンテンツ識別情報テーブルを説明する図
【図１０】番組編集用テーブルを説明する図
【図１１】番組編集用テーブルに基づいた放映コンテンツの編集を説明する図
【図１２】特定の病院専用の番組編集用テーブルを説明する図
【図１３】実施形態１の概念を示す図
【符号の説明】
【０１１０】
１３０１：中央サーバ装置
１３０７：病院放映端末
１３０８：病院放映端末の出力部
【図１】
2007325124.tif 000003
【図２】
2007325124.tif 000004
【図３】
2007325124.tif 000005
【図４】
2007325124.tif 000006
【図５】
2007325124.tif 000007
【図６】
2007325124.tif 000008
【図７】
2007325124.tif 000009
【図８】
2007325124.tif 000010
【図９】
2007325124.tif 000011
【図１０】
2007325124.tif 000012
【図１１】
2007325124.tif 000013
【図１２】
2007325124.tif 000014
【図１３】
2007325124.tif 000015